(57)【要約】      （修正有）【課題】スイッチ機能に不必要な部品を新たに設けることなく、安定したスイッチ機能を有するスイッチを提供する。【解決手段】スイッチは、第１の導通部材１と、ベース部材４に固定される第２の導通部材２と、回動可能なレバー部材３とを有する。第１の導通部材１が、レバー部材３を第２の導通部材２に対して該レバー部材３の回動軸４ａに平行な方向に押し付けることで、レバー部材３のがたつきを抑えて安定したスイッチ機能を有するスイッチを実現できる。【選択図】図１
2008010289.tif 000002
【特許請求の範囲】
【請求項１】
第１の導通部材と、
ベース部材に固定される第２の導通部材と、
前記第１及び第２の導通部材間の接続と離脱を切り換えるレバー部材とを有し、
前記第１の導通部材は、前記レバー部材を前記第２の導通部材に対して該レバー部材の回動軸に平行な方向に押し付けることを特徴とするスイッチ。
【請求項２】
前記第１の導通部材はコイル部と該コイル部から延出する延出部とを有し、
該第１の導通部材は、前記延出部が該第１の導通部材に対して前記レバー部材が配置された方向とは反対方向の力を受けることで、該コイル部において前記レバー部材を前記第２の導通部材に対して押し付けることを特徴とする請求項１に記載のスイッチ。
【請求項３】
前記第１の導通部材は弾性部材により形成され、前記レバー部材の回動に応じた変形により移動する可動部を有し、
前記可動部が前記第２の導通部材に接触した状態と該第２の導通部材から離脱した状態とに前記レバー部材の回動に応じて切り換えられることを特徴とする請求項１又は２に記載のスイッチ。
【請求項４】
請求項１から３のいずれか１つに記載のスイッチと、前記ベース部材とを有することを特徴とする電子機器。    
【発明の詳細な説明】
【技術分野】
【０００１】
本発明は、デジタルカメラ、ビデオカメラ、プリンタ、複写機その他の電子機器に用いられるスイッチに関し、特にレバー部材の回動によりオン／オフ切換えを行うスイッチに関する。
【背景技術】
【０００２】
電子機器に用いられるスイッチには様々なものが提案されている。そのうち、レバーの回動に応じて導通部材を変形させることでオン／オフ切換えを行うスイッチとしては、特許文献１にて開示されたものがある。
【０００３】
該公報にて開示されたスイッチは、レバーの駆動部に押圧される金属薄板により製作された可動接点の動作方向が、レバーの操作方向に対して直交する方向とすることで、スイッチ全体の薄型化を可能としたスイッチである。また、該スイッチは、予め撓んだ状態の可動接点の接点部が、スイッチケースの内側壁及び固定接点上を摺動することで、固定接点との接触／離脱を行うようにすることで、レバーが操作途中の状態でも接点の一定の接触圧力が確保できるというものである。
【特許文献１】特開２００１−１８４９９４公報（段落００１４、図１等）
【発明の開示】
【発明が解決しようとする課題】
【０００４】
しかしながら、特許文献１にて開示されたスイッチにおいては、レバーを回転軸方向に付勢してレバーのがたつきを防止する構成を持っていない。このため、操作によってレバーが回転軸方向にがたつくことで、スイッチとしての安定した機能を損ねる可能性がある。また、レバーを回転軸方向に付勢するために、トーションばね等の弾性部材を使用することはできるが、本来のスイッチ機能には不必要な部品を新たに設けることになり、部品点数が増加したり組み立て作業性が悪化したりする。
【０００５】
本発明では、スイッチ機能に不必要な部品を新たに設けることなく、安定したスイッチ機能を有するスイッチおよびこれを備えた電子機器を提供することを目的の１つとする。
【課題を解決するための手段】
【０００６】
本発明の一側面としてのスイッチは、第１の導通部材と、ベース部材に固定される第２の導通部材と、回動可能なレバー部材とを有する。そして、第１の導通部材は、レバー部材を第２の導通部材に対して該レバー部材の回動軸に平行な方向に押し付けることを特徴とする。
【０００７】
なお、上記スイッチが設けられた電子機器も本発明の他の側面を構成する。
【発明の効果】
【０００８】
本発明によれば、スイッチ機能に必要な第１及び第２の導通部材とレバー部材を用い、第１の導通部材によって、レバー部材を、固定された第２の導通部材に対してその回動軸に平行な方向に押し付ける。このため、スイッチ機能に不必要な部品を新たに設けることなく、レバー部材のがたつきを抑えて安定したスイッチ機能を有するスイッチを実現できる。
【発明を実施するための最良の形態】
【０００９】
以下、本発明の実施例について図面を参照しながら説明する。
【００１０】
図８には、本発明の実施例であるデジタルスチルカメラ（以下カメラ）２０の外観を示す。図８において、２１は撮影動作の開始を指示するレリーズ釦であり、２２はカメラボディの前面に交換レンズを取り付けるためのレンズマウント部である。２３は電源入力スイッチ等の各種操作スイッチやパーソナルコンピュータ等の外部機器を接続するためのコネクタ部である。２４は被写体を照明するフラッシュユニットである。また、２５は撮影者がカメラ２０の撮影モードを設定するために操作するモードダイアルである。２７はカメラ２０の各種動作を制御するＣＰＵ等のコントローラである。
【００１１】
さらに、図９には、上記カメラ２０の底面側の構成を示す。図９において、１６はカメラ２０底面部に開閉可能に設けられたバッテリドアである。このバッテリドア１６を開けることで、不図示のバッテリの出し入れ（交換）を行うことができる。また、２６は、不図示の三脚を取り付けるためのネジ部である。
【００１２】
該カメラ２０には、バッテリドア１６の開閉状態を検知するための開閉検知スイッチが設けられる。バッテリドア１６が閉状態を検知することで、コントローラ２７は、バッテリの装着を検出したり、交換レンズとの通信やフラッシュユニット２４に電気エネルギを供給する不図示のコンデンサの充電等の動作を開始したりする。
【００１３】
図１には、開閉検知スイッチの構成を示している。開閉検知スイッチは、第１の導通部材１と、第２の導通部材２と、レバー３とを有する。
【００１４】
図１に示すように、第１の導通部材１は、トーションばね形状に形成された弾性部材であり、コイル部１ｃと、該コイル部１ｃの両端から延出した第１及び第２の腕部（延出部）１ａ，１ｂを有する。
【００１５】
コイル部１ｃは、スイッチ固定部材４に形成された軸部４ａの外周に取り付けられる。第１の腕部（可動部）１ａは、レバー３に形成された当接面３ｄに当接し、レバー３が回動することによって該第１の腕部１ａも回動（移動）する。第２の腕部１ｂのうち先端側の部分は、カメラ２０の本体を構成するベース部材としてのスイッチ固定部材４に形成された保持溝部４ｄに係合する。また、第２の腕部１ｂのうち中間部分は、スイッチ固定部材４に形成された軸部４ｂと軸部４ｆとの間に挟み込まれる。これにより、第２の腕部１ｂはスイッチ固定部材４に対してＸＹ平面内に固定される。このため、レバー３が＋Ｙ方向に回動することによって、＋Ｘ方向に延びる第１の腕部１ａのみがコイル部１ｃの弾性変形によって＋Ｙ方向に回動する。
【００１６】
スイッチ固定部材４は、前述した軸部４ａ，４ｂ，４ｆに加えて、軸部４ｃを有する。軸部４ａに対して、＋Ｚ方向から第１の導通部材１（コイル部１ｃ）、レバー３及び第２の導通部材２の順で組み付けられ、第２の導通部材２は、軸部４ａ，４ｂ，４ｃに対して熱カシメ等の方法により固定される。
【００１７】
図２には、スイッチ固定部材４の軸部４ａ，４ｂ，４ｃに対して、第１の導通部材１と第２の導通部材２とレバー３とを組み付けた状態を＋Ｚ側から見た様子を示している。スイッチ固定部材４の基板押さえ部４ｅには、該開閉検知スイッチと電気的に接続される回路基板１５が係止される。回路基板１５は、この基板押さえ部４ｅとの係合によって、＋Ｚ方向への移動が制限される。
【００１８】
また、不図示のカメラボディには、図５に示すように、軸１８を中心として回転（開閉）するバッテリドア１６が組み付けられている。
【００１９】
図３には、上述した第１の導通部材１の形状を示している。第１の導通部材１は、前述したコイル部１ｃと、第１及び第２の腕部１ａ，１ｂを有し、さらに第２の腕部１ｂの最先端部分には、回路基板１５に形成された導通パッド面に接触するための接触部１ｄが形成されている。接触部１ｄは導通パッド面を介して回路基板１５に対してコイル部１ｃの軸方向である＋Ｚ方向にて接触するため、＋Ｚ方向に立ち曲げられた形状を有する。
【００２０】
図７には、図２に示した構成を、−Ｚ方向から見たときの様子を斜視図により示している。第１の導通部材１は、接触部１ｄが回路基板１５上に設けられた導通パッド面１５ａに接触することで、回路基板１５と電気的に接続される。第１の導通部材１は、接触部１ｄが回路基板１５によって−Ｚ方向、すなわち第１の導通部材１に対してレバー３が配置された方向とは反対方向に付勢された状態で導通パッド面１５ａに接触する。これにより、第１の導通部材１のコイル部１ｃは、軸部４ａ上で＋Ｚ方向に寄せられ、レバー３をスイッチ固定部材４に固定された第２の導通部材２に対して＋Ｚ方向に押し付ける（付勢する）。したがって、レバー３の回動軸に平行な方向、すなわち軸部４ａの中心軸に平行な方向でのがたつきが抑えられ、該開閉検知スイッチは、スイッチとしての安定した機能を得ることができる。
【００２１】
第１の導通部材１は、前述したようにトーションばね形状を有し、第１及び第２の腕部１ａ，１ｂを閉じる方向に弾性変形させることで、両腕部１ａ，１ｂが開く方向に弾性力が発生する。第１の導通部材１は、この付勢力で、レバー３を−Ｙ方向に付勢している。
【００２２】
また、第２の導通部材２は、図４にも示すように、接触部２ｄ，２ｅを有する。第１の導通部材１の第１の腕部１ａは、図２および図７に示す状態において、レバー３を−Ｙ方向に付勢するとともに、第２の導通部材２の接触部２ｅにも接触する。
【００２３】
一方、第２の導通部材２の接触部２ｄは、回路基板１５上に設けられた導通パッド面１５ｂに接触して該回路基板１５と電気的に接続されている。
【００２４】
なお、回路基板１５には、導通パッド面１５ａ，１５ｂ以外にも、図示しない様々な電気素子が実装されている。回路基板１５にコントローラ２７を構成するＣＰＵを実装してもよい。
【００２５】
図２に示すように、第１の導通部材１における第１の腕部１ａと第２の導通部材２における接触部２ｅとは点Ａにおいて電気的に接触している。この状態から、図６に示すように、レバー３が軸部４ａを中心として＋Ｙ方向に回動すると、第１の腕部１ａが点Ａから離れ、接触部２ｅとの接触が断たれる。本実施例の開閉検知スイッチは、点Ａで第１の腕部１ａと接触部２ｅとが接触している導通状態においてコントローラ２７に入力される電気信号により、コントローラ２７にバッテリドア１６の開きを検知させる。また、点Ａでの接触が絶たれた遮断状態においてコントローラ２７への電気信号の入力を絶つことで、コントローラ２７にバッテリドア１６の閉じを検知させる。
【００２６】
具体的には、バッテリドア１６は、図２及び図５に示すように、開き状態のうち閉じ状態になる直前の状態（以下、閉じ直前状態という）においてレバー３に当接可能な突起１７を有する。
【００２７】
バッテリドア１６が完全に開いた状態にある場合、レバー３は図２において−Ｙ方向に下がった状態にあり、スイッチ固定部材４に形成されたストッパ面４ｇに当接して、静止している。この状態では、第１の導通部材１における第１の腕部１ａと第２の導通部材２における接触部２ｅとが点Ａにおいて接触している。
【００２８】
バッテリドア１６が開いた状態から軸１８を中心として＋Ｙ方向（閉じ方向）に回動し、閉じ直前状態に達すると、図２に示すように、バッテリドア１６の突起部１７がレバー３の下面に形成された突起部３ｃに当接する。さらにバッテリドア１６が閉じ方向に回動し、バッテリドア１６がカメラボディに対してほぼ完全に閉じられると、図６に示すように、レバー３が第１の導通部材１における第１の腕部１ａを＋Ｙ方向に持ち上げる。これにより、第１の腕部１ａと第２の導通部材２の接触部２ｅとの接触が断たれ、両導通部材１，２は電気的に非接続の状態となる。
【００２９】
一方、図６の状態からバッテリドア１６が−Ｙ方向（開き方向）に回動すると、図２の状態に戻り、両導通部材１，２が電気的に接続された状態となる。
【００３０】
本実施例では、カメラのバッテリドアの開閉を検知するために用いられるスイッチについて説明したが、本発明はこれに限らず、様々な電子機器における様々な検知を行うためのスイッチとして使用することができる。
【図面の簡単な説明】
【００３１】
【図１】本発明の実施例であるスイッチの分解斜視図。
【図２】実施例のスイッチ（導通状態）の正面図。
【図３】実施例のスイッチに用いられる第１の導通部材の拡大図。
【図４】実施例のスイッチに用いられる第２の導通部材の拡大図。
【図５】実施例のスイッチにより開閉検知されるバッテリドアの上面図。
【図６】実施例のスイッチ（遮断状態）の正面図。
【図７】実施例のスイッチと回路基板との接続状態を示す斜視図。
【図８】実施例のスイッチが搭載されたカメラの外観斜視図。
【図９】実施例のスイッチが搭載されたカメラの底面側から見たときの斜視図。
【符号の説明】
【００３２】
１  第１の導通部材
１ａ，１ｂ 腕部
１ｃ  コイル部
２  第２の導通部材
２ｄ，２ｅ  接触部
３  レバー
４  スイッチ固定部材
４ａ，４ｂ，４ｃ，４ｆ  軸部
１５  回路基板
１６  バッテリドア
１７  突起部
２０  カメラ
２２  レンズマウント部
２４  フラッシュユニット
２５  モードダイアル
【図１】
2008010289.tif 000003
【図２】
2008010289.tif 000004
【図３】
2008010289.tif 000005
【図４】
2008010289.tif 000006
【図５】
2008010289.tif 000007
【図６】
2008010289.tif 000008
【図７】
2008010289.tif 000009
【図８】
2008010289.tif 000010
【図９】
2008010289.tif 000011